(57)【要約】      （修正有）【課題】ビニールハウス内を温める農業用暖房機に新鮮な外気を取り込むことで燃費を節約する農業用暖房機の省エネルギー対策装置を提供する。【解決手段】ビニールハウス内に設置した農業用暖房機１のバーナー５の空気取入部を円盤状の内板及び前記内板と同形の外板及び前記内板と前記外板の間を塞ぐ側周板で覆った缶体３と、前記外板に空けた通気孔からビニールハウス外に延ばし農業用暖房機の煙突の高さまで上方に垂設してから先端の外気口が下を向くように湾曲させた給気管４とからなり、前記給気管から前記缶体内に取り込んだ外気を前記空気取入部に供給する装置構成とする。【選択図】図１
0003147583.tif 000002
【実用新案登録請求の範囲】
【請求項１】
ビニールハウス内に設置した農業用暖房機のバーナーの空気取入部を円盤状の内板及び前記内板と同形の外板及び前記内板と前記外板の間を塞ぐ側周板で覆った缶体と、前記外板に空けた通気孔からビニールハウス外に延ばし農業用暖房機の煙突の高さまで上方に垂設してから先端の外気口が下を向くように湾曲させた給気管とからなり、前記給気管から前記缶体内に取り込んだ外気を前記空気取入部に供給することを特徴とする農業用暖房機の省エネルギー対策装置。
【請求項２】
タイムスイッチに応じてリレーがサーモスタットを切り替えることで時間により農業用暖房機の温度を制御するコントロールボックスを設置したことを特徴とする請求項１に記載の農業用暖房機の省エネルギー対策装置。
【考案の詳細な説明】
【技術分野】
【０００１】
本考案は、ビニールハウス内を温める農業用暖房機に新鮮な外気を取り込むことで、燃費を節約する農業用暖房機の省エネルギー対策装置に関するものである。
【背景技術】
【０００２】
農業用のビニールハウス内の温度を上げるために農業用暖房機が用いられる。農業用暖房機は、空気を供給しながら燃料を燃焼させ、送風機で温風をビニールハウス内に送り出すことで、温かい空気をビニールハウス内で循環させる。
【０００３】
特許文献１に記載されているように、熱交換効率を高めるとともに排気熱を有効に利用する温風暖房機の排熱回収蓄熱ユニットおよび該ユニットを取付けた施設園芸用温風暖房機の発明も公開されている。
【特許文献１】特開２００２−３６４９９９号公報
【考案の開示】
【考案が解決しようとする課題】
【０００４】
しかしながら、従来技術の場合は、ビニールハウス内を循環する空気を利用して燃焼を行っており、燃焼ガスはビニールハウス外に排出されるため、ビニールハウス内の気圧が下がり、外の冷たい空気がビニールハウス内に流入して暖房効果が薄れてしまう。
【０００５】
そこで、本考案は、ビニールハウス内を温める農業用暖房機に新鮮な外気を取り込むことで燃費を節約する農業用暖房機の省エネルギー対策装置を提供することを目的とするものである。
【課題を解決するための手段】
【０００６】
本考案は、上記の課題を解決するために、ビニールハウス内に設置した農業用暖房機のバーナーの空気取入部を円盤状の内板及び前記内板と同形の外板及び前記内板と前記外板の間を塞ぐ側周板で覆った缶体と、前記外板に空けた通気孔からビニールハウス外に延ばし農業用暖房機の煙突の高さまで上方に垂設してから先端の外気口が下を向くように湾曲させた給気管とからなり、前記給気管から前記缶体内に取り込んだ外気を前記空気取入部に供給することを特徴とする農業用暖房機の省エネルギー対策装置の構成とした。
【考案の効果】
【０００７】
本考案は、農業用暖房機に新鮮な外気を取り込むことで燃焼効率が良くなり、取り込む空気と循環する空気と排出する空気の気圧バランスが取れて、冷たい外気がビニールハウス内に入りにくくなる。尚、既存の農業用暖房機にも簡単に取り付けることができる。
【考案を実施するための最良の形態】
【０００８】
本考案は、ビニールハウス内を温める農業用暖房機に新鮮な外気を取り込んで燃費を節約するという目的を、ビニールハウス内に設置した農業用暖房機のバーナーの空気取入部を円盤状の内板及び前記内板と同形の外板及び前記内板と前記外板の間を塞ぐ側周板で覆った缶体と、前記外板に空けた通気孔からビニールハウス外に延ばし農業用暖房機の煙突の高さまで上方に垂設してから先端の外気口が下を向くように湾曲させた給気管とからなり、前記給気管から前記缶体内に取り込んだ外気を前記空気取入部に供給することで実現した。
【実施例１】
【０００９】
以下に、添付図面に基づいて、本考案である農業用暖房機の省エネルギー対策装置について詳細に説明する。図１は、本考案である農業用暖房機の省エネルギー対策装置を取り付けた状態を示す図である。
【００１０】
農業用暖房機１の省エネルギー対策装置のうち、燃焼用空気取入装置２は、ビニールハウス６内に設置した農業用暖房機１のバーナー５の空気取入部５ａを円盤状の内板７及び内板７と同形の外板８及び内板７と外板８の間を塞ぐ側周板９で覆った缶体３と、外板８に空けた通気孔８ｂからビニールハウス６外に延ばし農業用暖房機１の煙突１ｃの高さまで上方に垂設してから先端の外気口４ｂが下を向くように湾曲させた給気管４とからなり、給気管４から缶体３内に取り込んだ外気を空気取入部５ａに供給することを特徴とする。
【００１１】
燃焼用空気取入装置２は、缶体３と給気管４とからなり、缶体３を農業用暖房機１のバーナー５に取り付け、給気管４から取り込んだ新鮮な外気を缶体３に送り、バーナー５を燃焼させるための空気として用いる。
【００１２】
図２は、本考案である農業用暖房機の省エネルギー対策装置を取り付ける農業用暖房機を示す図である。農業用暖房機１は、ビニールハウス６内に設置され、吸気口１ａで取り込んだ空気をバーナー５で温め、送風口１ｂから吹き出す。
【００１３】
バーナー５で燃焼したガスは、煙突１ｃを介してビニールハウス６外に排気するが、ビニールハウス６内の空気を利用してバーナー５を燃焼させた場合は、ビニールハウス６内の気圧が徐々に下がって、外の冷たい空気を引き込んでしまう可能性がある。
【００１４】
そこで、農業用暖房機１にビニールハウス６外の空気を利用してバーナー５を燃焼させていない場合に、後付けで燃焼用空気取入装置２を取り付けることで、暖房効果が損なわれるのを防止することができる。
【００１５】
図３は、本考案である農業用暖房機の省エネルギー対策装置の内板を示す図である。図４は、本考案である農業用暖房機の省エネルギー対策装置の外板を示す図である。図５は、本考案である農業用暖房機の省エネルギー対策装置の側周板を示す図である。
【００１６】
缶体３は、内板７、外板８、及び側周板９からなり、まず内板７と外板８とを間隔を置いて対向させ、次に側周板９を内板７及び外板８の周りを巻くように間を塞いで、中空の密閉容器を作る。
【００１７】
内板７は、円形又は楕円形の鉄板に切欠き７ａを設けた円盤である。尚、切欠き７ａは、バーナー５の空気取入部５ａの内面縁５ｂに沿って当てることができるように、内面縁５ｂの形状に合わせて切り取ったものである。
【００１８】
外板８は、円形又は楕円形の鉄板に切欠き８ａと通気孔８ｂを設けた円盤である。尚、切欠き８ａは、バーナー５の空気取入部５ａの外面５ｃに当てることができるように、外面５ｃ上の突起物の形状に合わせて切り取ったものである。
【００１９】
内板７と外板８は同形の鉄板を用いており、空気取入部５ａの両側において間隔を空けて内側の面が対向する。内面縁５ｂと外面５ｃのように、当てる箇所の形状が異なれば、切欠き７ａと切欠き８ａの形状も異なる。
【００２０】
また、通気孔８ｂは、缶体３に給気管４を接続するために、外板８に給気管４の径と同じサイズで空けた円形の孔である。空気取入部５ａと缶体３との間に形成される空間に空気を送り込むことができる。
【００２１】
側周板９は、帯状の薄いブリキ板で環状に巻くことができる。尚、側周板９の幅は内板７と外板８の間隔であり、側周板９の長さは内板７又は外板８の円周と同じか円周より若干短くする。
【００２２】
図６は、本考案である農業用暖房機の省エネルギー対策装置の給気管の一部を示す図である。給気管４は、ポリ塩化ビニル製の管であり、連結材４ａを用いて管を延長したり、湾曲した連結材４ａを用いて延ばす方向を変えたりすることができる。
【００２３】
図７は、本考案である農業用暖房機の省エネルギー対策装置を取り付ける前の状態を示す図である。燃焼用空気取入装置２を取り付ける前の準備として、農業用暖房機１に設置されたバーナー５のカバーを取り外す。
【００２４】
バーナー５のカバーを取り外すと、上部にノズル等が農業用暖房機１の内部に向けて接続されており、下部に燃料や空気を送り出すポンプ等が設けられ、空気を取り込むための空気取入部５ａも存在する。
【００２５】
空気取入部５ａは、円柱を横にした形状であり、側周面に空気孔と取り込む空気量を調整する調整シャッター等が設けられる。尚、バーナー５に接続された面の縁を内面縁５ｂとし、バーナー５の外側の面を外面５ｃとする。
【００２６】
図８は、本考案である農業用暖房機の省エネルギー対策装置の内板を取り付けた状態を示す図である。空気取入部５ａの内面縁５ｂに内板７の切欠き７ａを合わせるようにして内板７を取り付ける。
【００２７】
図９は、本考案である農業用暖房機の省エネルギー対策装置の内板及び外板を取り付けた状態を示す図である。空気取入部５ａの外面５ｃの突起物に外板８の切欠き８ａが合うように外板８を取り付ける。
【００２８】
図１０は、本考案である農業用暖房機の省エネルギー対策装置の缶体を取り付けた状態を示す図である。対向する内板７と外板８の間を塞ぐように、かつ、空気取入部５ａを覆うように、側周板９を貼り付けることで、缶体３を形成する。
【００２９】
内板７及び外板８は円盤状であるため、円周に沿って側周板９を湾曲させながら接着し、隙間が生じる場合には、コーキング剤等を使用して完全に隙間を塞ぐ。尚、端については、缶体３を密閉できる位置までで良い。
【００３０】
図１１は、本考案である農業用暖房機の省エネルギー対策装置の缶体及び給気管を取り付けた状態を示す図である。外板８の通気孔８ｂに給気管４を接続する。尚、設置場所に応じて連結材４ａ等を用いることもできる。
【００３１】
図１２は、本考案である農業用暖房機の省エネルギー対策装置の給気管を設置した状態を示す図である。給気管４は、まず缶体３から水平方向に延ばしてビニールハウス６の外に出す。
【００３２】
次に、連結材４ａで垂直方向に向きを変えて上方に延ばし、農業用暖房機１の煙突１ｃと同程度の高さまで上げてから、連結材４ａを用いて先端の外気口４ｂが下を向くように湾曲させる。
【００３３】
外気口４ｂの位置を高くすることで、バーナー５の停止時に冷たい空気が流れ込むのを防止することができ、外気口４ｂを下に向けることで、雨や埃が進入するのを防止することができる。
【００３４】
燃焼用の空気をビニールハウス６外から供給し、そのまま燃焼ガスをビニールハウス６外に排気することで、ビニールハウス６内の空気は単に循環するだけとなり、ビニールハウス６内外の気圧差が大きくなることは無くなる。
【００３５】
そのため、ビニールハウス６の外から内に隙間風が入りにくくなり、暖房効率が良くなるので、外気温とビニールハウス６内の設定温度によって変動はあるが、約５〜１０％燃費が良くなることが確認された。
【実施例２】
【００３６】
図１３は、本考案である農業用暖房機の省エネルギー対策装置に設けるコントロールボックスを示す図である。コントロールボックス１０は、農業用暖房機１に稼働制御を付加することができる。
【００３７】
コントロールボックス１０は、タイムスイッチ１０ａ、サーモスタット１０ｂ、サーモスタット１０ｃ、及びリレー１０ｄ等からなり、一日の温度設定を二段階に分けることができる。
【００３８】
尚、タイムスイッチ１０ａは、指定された時間に指示を出す機器である。リレー１０ｄはタイムスイッチ１０ａに応じて制御を切り替える継電器である。サーモスタット１０ｂとサーモスタット１０ｃは、農業用暖房機１の温度を制御する機器である。
【００３９】
例えば、サーモスタット１０ｂについては、朝５時から夜９時までの昼時間用の温度を設定しておき、サーモスタット１０ｃについては、夜９時から翌朝５時までの夜時間の温度を設定しておく。
【００４０】
タイムスイッチ１０ａに朝５時と夜９時を指定しておくと、朝５時になるとリレー１０ｄが作動してサーモスタット１０ｂに切り替え、また夜９時にもリレー１０ｄが作動してサーモスタット１０ｃに切り替える。
【００４１】
従来は、オフとオンの隙間が約２℃あったが、精密なサーモスタットを用いてオフとオンの隙間を０．３℃に設定することで、結果として、約１．７℃の温度上昇を防ぐことができ、その上昇分だけ燃費の節約となる。
【図面の簡単な説明】
【００４２】
【図１】本考案である農業用暖房機の省エネルギー対策装置を取り付けた状態を示す図である。
【図２】本考案である農業用暖房機の省エネルギー対策装置を取り付ける農業用暖房機を示す図である。
【図３】本考案である農業用暖房機の省エネルギー対策装置の内板を示す図である。
【図４】本考案である農業用暖房機の省エネルギー対策装置の外板を示す図である。
【図５】本考案である農業用暖房機の省エネルギー対策装置の側周板を示す図である。
【図６】本考案である農業用暖房機の省エネルギー対策装置の給気管の一部を示す図である。
【図７】本考案である農業用暖房機の省エネルギー対策装置を取り付ける前の状態を示す図である。
【図８】本考案である農業用暖房機の省エネルギー対策装置の内板を取り付けた状態を示す図である。
【図９】本考案である農業用暖房機の省エネルギー対策装置の内板及び外板を取り付けた状態を示す図である。
【図１０】本考案である農業用暖房機の省エネルギー対策装置の缶体を取り付けた状態を示す図である。
【図１１】本考案である農業用暖房機の省エネルギー対策装置の缶体及び給気管を取り付けた状態を示す図である。
【図１２】本考案である農業用暖房機の省エネルギー対策装置の給気管を設置した状態を示す図である。
【図１３】本考案である農業用暖房機の省エネルギー対策装置に設けるコントロールボックスを示す図である。
【符号の説明】
【００４３】
１        農業用暖房機
１ａ      吸気口
１ｂ      送風口
１ｃ      煙突
２        燃焼用空気取入装置
３        缶体
４        給気管
４ａ      連結材
４ｂ      外気口
５        バーナー
５ａ      空気取入部
５ｂ      内面縁
５ｃ      外面
６        ビニールハウス
７        内板
７ａ      切欠き
８        外板
８ａ      切欠き
８ｂ      通気孔
９        側周板
１０        コントロールボックス
１０ａ      タイムスイッチ
１０ｂ      サーモスタット
１０ｃ      サーモスタット
１０ｄ      リレー
【図１】
0003147583.tif 000003
【図２】
0003147583.tif 000004
【図３】
0003147583.tif 000005
【図４】
0003147583.tif 000006
【図５】
0003147583.tif 000007
【図６】
0003147583.tif 000008
【図７】
0003147583.tif 000009
【図８】
0003147583.tif 000010
【図９】
0003147583.tif 000011
【図１０】
0003147583.tif 000012
【図１１】
0003147583.tif 000013
【図１２】
0003147583.tif 000014
【図１３】
0003147583.tif 000015